(57)【特許請求の範囲】
【請求項１】
感光ドラムと、
前記感光ドラムの軸線方向に沿って延び、前記感光ドラムをクリーニングするように構成される第１クリーニングローラであって、前記軸線方向に沿って延びる第１クリーニングローラシャフトを有する第１クリーニングローラと、
前記軸線方向に沿って延び、前記第１クリーニングローラに接する第２クリーニングローラであって、前記軸線方向に沿って延びる第２クリーニングローラシャフトを有する第２クリーニングローラと、
前記第１クリーニングローラと前記第２クリーニングローラを支持する軸受部材と、
前記軸受部材を保持するホルダと、を備え、
前記第１クリーニングローラシャフトは、前記軸線方向の端部に、前記軸線方向外側が小径となる段差部を有し、
前記軸受部材は、
前記第１クリーニングローラシャフトの前記軸線方向の一端部が挿入される第１孔を有する第１円筒部と、
前記第２クリーニングローラシャフトの前記軸線方向の一端部が挿入される第２孔を有する第２円筒部と、
前記第１クリーニングローラシャフトの一端部と、前記第２クリーニングローラシャフトの一端部との間に位置し、前記第１円筒部と前記第２円筒部との間に延びて、さらに、前記第１円筒部と前記第２円筒部との間で前記第１円筒部及び前記第２円筒部よりも外側に向けて突出する板状の係合部であって、前記ホルダと係合する係合部と、
前記第１孔の内周面から突出し、前記段差部に係合することで前記第１クリーニングローラシャフトの前記軸線方向への移動を規制する第２移動規制部と、
を有していることを特徴とするドラムユニット。
【請求項２】
前記ホルダは、前記係合部と係合することで、前記軸受部材の前記軸線方向への移動を規制する移動規制部を有することを特徴とする請求項１に記載のドラムユニット。
【請求項３】
前記第２移動規制部は、前記第１孔の内周面に形成されたリブであり、前記軸線方向に沿って見て、Ｃ字形状を有していることを特徴とする請求項１または請求項２に記載のドラムユニット。
【請求項４】
前記第２移動規制部は、前記軸線方向から見て、前記第２孔側に向けて開口していることを特徴とする請求項３に記載のドラムユニット。
【請求項５】
前記ホルダを支持するフレームを備え、
前記フレームは、前記ホルダに対し前記軸線方向外側に配置される壁と、前記壁から前記ホルダ側へ突出し、前記ホルダに当接することで、前記ホルダの前記軸線方向への移動を規制する当接リブとを有することを特徴とする請求項１から請求項４のいずれか１項に記載のドラムユニット。
【請求項６】
前記係合部は、第１係合部と、前記第１係合部に対して前記第１クリーニングローラの回転中心と前記第２クリーニングローラの回転中心を結ぶ平面を挟んで反対側に設けられる第２係合部とを有し、
前記ホルダは、前記第１係合部を収容する第１溝と、前記第２係合部を収容する第２溝とを有し、
前記第１溝の幅と前記第２溝の幅は等しいことを特徴とする請求項１から請求項５のいずれか１項に記載のドラムユニット。
【請求項７】
前記ホルダを支持するフレームと、
前記感光ドラムと一体に回転する感光ドラムギヤと、
前記第２クリーニングローラと一体に回転するクリーニングローラギヤと、
前記感光ドラムから入力される駆動力を前記クリーニングローラギヤに伝達する伝達機構と、
前記伝達機構を支持し、前記フレームに保持されるカバーと、を備え、
前記伝達機構は、前記クリーニングローラギヤに前記軸線方向外側から係合して前記クリーニングローラギヤに駆動力を伝達する伝達ギヤを有することを特徴とする請求項１から請求項６のいずれか１項に記載のドラムユニット。
【請求項８】
請求項１から請求項７のいずれか１項に記載のドラムユニットを着脱可能な筐体を備えることを特徴とする画像形成装置。
【発明の詳細な説明】
【技術分野】
【０００１】
本発明は、感光ドラムをクリーニングするためのクリーニングローラを備えたドラムユニット及び画像形成装置に関する。
【背景技術】
【０００２】
従来、画像形成装置に備えられるドラムユニットにおいて、感光ドラムと、感光ドラムをクリーニングするためのクリーニングユニットを備えたものが知られている（例えば、特許文献１参照）。クリーニングユニットは、感光ドラムをクリーニングする第１クリーニングローラと、第１クリーニングローラに接する第２クリーニングローラと、第１クリーニングローラと第２クリーニングローラを支持する軸受部材と、軸受部材を保持するホルダとを有している。そして、軸受部材は、第１クリーニングローラのシャフトを支持する円筒状の第１軸受部と、第２クリーニングローラのシャフトを支持する円筒状の第２軸受部と、第１軸受部と第２軸受部を連結する連結部とを有している。
【先行技術文献】
【特許文献】
【０００３】
【特許文献１】特開２０１３−０５０４９４号公報
【発明の概要】
【発明が解決しようとする課題】
【０００４】
ところで、上述した技術において、軸受部材がホルダに対して移動するのを抑制する構成を設けるのが望ましい。例えば、軸受部材の連結部にリブ状の係合部を設け、この係合部がホルダに係合することで、軸受部材がホルダに対して移動するのを抑制する構成を設けることができる。
【０００５】
しかしながら、この構成では、ドラムユニットが落下すると、ホルダから係合部に大きな力がかかり、係合部が破損するおそれがあった。
【０００６】
そこで、本発明は、ドラムユニットの落下時に軸受部材の係合部が破損するのを抑制することができるドラムユニットおよび画像形成装置を提供することを目的とする。
【課題を解決するための手段】
【０００７】
前記した目的を達成するため、本発明のドラムユニットは、感光ドラムと、感光ドラムの軸線方向に沿って延び、感光ドラムをクリーニングするように構成される第１クリーニングローラであって、前記軸線方向に沿って延びる第１クリーニングローラシャフトを有する第１クリーニングローラと、前記軸線方向に沿って延び、第１クリーニングローラに接する第２クリーニングローラであって、前記軸線方向に沿って延びる第２クリーニングローラシャフトを有する第２クリーニングローラと、第１クリーニングローラと第２クリーニングローラを支持する軸受部材と、軸受部材を保持するホルダと、を備えている。
軸受部材は、第１クリーニングローラシャフトの前記軸線方向の一端部が挿入される第１孔を有する第１円筒部と、第２クリーニングローラシャフトの前記軸線方向の一端部が挿入される第２孔を有する第２円筒部と、有している。
そして、軸受部材は、第１クリーニングローラシャフトの一端部と、第２クリーニングローラシャフトの一端部との間に位置し、第１円筒部と第２円筒部との間に延びて、さらに、第１円筒部と第２円筒部との間で第１円筒部及び第２円筒部よりも外側に向けて突出する板状の係合部であって、ホルダと係合する係合部を有する。
【０００８】
このように構成されたドラムユニットによれば、係合部が第１円筒部と第２円筒部との間に延びているので、ドラムユニットの落下時にホルダから係合部に大きな力が加わっても、係合部が破損するのを抑制することができる。
【発明の効果】
【０００９】
本発明によれば、係合部が第１円筒部と第２円筒部との間に延びているので、ドラムユニットの落下時にホルダから係合部に大きな力が加わっても、係合部が破損するのを抑制することができる。
【図面の簡単な説明】
【００１０】
【図１】本発明の一実施形態に係るレーザプリンタの概略構成を示す図である。
【図２】感光ドラム周辺の概略構成を示す図である。
【図３】クリーニングユニットを示す斜視図である。
【図４】下フレームの後部を示す斜視図である。
【図５】上フレームの下面側を示す斜視図である。
【図６】第１クリーニングローラ、第２クリーニングローラ及び軸受部材を示す斜視図である。
【図７】軸受部材を示す斜視図（ａ）と、側面図（ｂ）である。
【図８】軸受部材が取り付けられた第１クリーニングローラの両端部を示す断面図である。
【図９】下側筐体と、下側筐体から外して裏返した状態の上側筐体を示す斜視図である。
【図１０】ホルダに係合する軸受部材を示す図である。
【図１１】ドラムユニットのギヤ列と伝達機構を示す斜視図（ａ）と、第２クリーニングローラシャフトに固定された第２クリーニングローラギヤを示す断面図（ｂ）である。
【図１２】伝達機構とカバーを示す斜視図である。
【図１３】第２クリーニングローラギヤと伝達ギヤの変形例を示す斜視図である。
【発明を実施するための形態】
【００１１】
次に、本発明の一実施形態について、適宜図面を参照しながら詳細に説明する。なお、以下の説明では、まず、ドラムユニット６を備える画像形成装置の一例としてのレーザプリンタ１の概略構成について説明した後、本発明の特徴部分について説明する。
【００１２】
また、以下の説明において、方向は、レーザプリンタ１を使用するユーザを基準にした方向で説明する。すなわち、図１における右側を「前」、左側を「後」とし、手前側を「左」、奥側を「右」とする。また、図１における上下方向を「上下」とする。
【００１３】
図１に示すように、レーザプリンタ１は、筐体の一例としての装置本体２内に用紙Ｓを供給するための給紙部３と、露光装置４と、用紙Ｓ上にトナー像を転写するプロセスカートリッジ５と、用紙Ｓ上に転写されたトナー像を熱定着する定着装置８とを主に備えている。
【００１４】
給紙部３は、装置本体２内の下部に設けられ、給紙トレイ３１と、用紙押圧板３２と、給紙機構３３とを主に備えている。給紙トレイ３１に収容された用紙Ｓは、用紙押圧板３２によって上方に寄せられ、給紙機構３３によってプロセスカートリッジ５（感光ドラム６１と転写ローラ６３との間）に向けて搬送される。
【００１５】
露光装置４は、装置本体２内の上部に配置され、図示しないレーザ発光部や、符号を省略して示すポリゴンミラー、レンズ、反射鏡などを備えている。この露光装置４では、画像データに基づいて、レーザ発光部から出射されるレーザ光（鎖線参照）が、感光ドラム６１の表面を走査することで、感光ドラム６１の表面を露光する。
【００１６】
プロセスカートリッジ５は、露光装置４の下方に配置され、装置本体２に設けられたフロントカバー２１を開いたときにできる開口から装置本体２に対して着脱可能に装着される構成となっている。このプロセスカートリッジ５は、ドラムユニット６と、現像ユニット７とから構成されている。
【００１７】
ドラムユニット６は、感光ドラム６１と、スコロトロン帯電器６２と、転写ローラ６３と、クリーニングユニット１００と、フレームの一例としてのドラムフレーム６４とを主に備えている。現像ユニット７は、ドラムユニット６に対して着脱可能に装着される構成となっている。現像ユニット７は、現像ローラ７１と、供給ローラ７２と、層厚規制ブレード７３と、これらの部材を支持する現像フレーム７５とを主に備えている。現像フレーム７５は、正帯電性のトナーが収容されるトナー収容部７４を有している。
【００１８】
感光ドラム６１は、左右方向に延びる回転軸線を中心に回転可能となるように、ドラムフレーム６４に支持されている。
【００１９】
現像ローラ７１は、感光ドラム６１の表面にトナーを供給するためのローラである。この現像ローラ７１は、現像ユニット７がドラムユニット６に装着された状態で、感光ドラム６１に対向している。
【００２０】
転写ローラ６３は、感光ドラム６１の回転方向において、現像ローラ７１よりも下流側に配置されている。そして、スコロトロン帯電器６２は、感光ドラム６１の回転方向において、転写ローラ６３よりも下流側かつ現像ローラ７１よりも上流側に配置されている。
【００２１】
クリーニングユニット１００は、感光ドラム６１の表面に付着した紙粉を回収するためのユニットであり、感光ドラム６１の回転方向において、転写ローラ６３よりも下流側かつスコロトロン帯電器６２よりも上流側に配置されている。このクリーニングユニット１００は、ドラムフレーム６４の後部でドラムフレーム６４に支持されている。
【００２２】
図２に示すように、クリーニングユニット１００は、第１クリーニングローラ１１０と、第２クリーニングローラ１２０と、掻取部材１３０と、ホルダ１４０と、押当部材１５０とを主に備えて構成されている。
【００２３】
第１クリーニングローラ１１０は、感光ドラム６１の軸線方向である左右方向に延びるローラであり、感光ドラム６１をクリーニングするように構成されている。具体的に、第１クリーニングローラ１１０は、感光ドラム６１の回転方向において、転写ローラ６３より下流側に配置され、感光ドラム６１の周面に接触して回転するように設けられている。そして、第１クリーニングローラ１１０は、画像形成時において、スコロトロン帯電器６２と同極性の正の電圧（バイアス）が印加され、表面が感光ドラム６１の露光された部分よりも電位が高くなっている。これにより、第１クリーニングローラ１１０は、感光ドラム６１上のトナーは通過させながら、感光ドラム６１上に付着する粉状の紙粉を一時的に回収するようになっている。
【００２４】
第２クリーニングローラ１２０は、左右方向に延びるローラであり、第１クリーニングローラに接するように配置されている。第２クリーニングローラ１２０は、第１クリーニングローラ１１０に印加されている電圧よりも絶対値が大きい正の電圧が印加されるように設けられ、第１クリーニングローラ１１０が保持している粉状の紙粉を吸着する。
【００２５】
掻取部材１３０は、第２クリーニングローラ１２０の表面に吸着した紙粉を掻き取るための部材である。掻取部材１３０は、スポンジ等から形成され、第２クリーニングローラ１２０の表面に接触している。
【００２６】
ホルダ１４０は、第１クリーニングローラ１１０および第２クリーニングローラ１２０を収容するとともに、掻取部材１３０によって掻き取られた紙粉を受けるための貯留部１４１を有している。掻取部材１３０によって掻き取られた紙粉は、貯留部１４１の底に堆積する。
【００２７】
押当部材１５０は、感光ドラム６１の回転方向において、感光ドラム６１の回転方向において、第１クリーニングローラ１１０より下流側かつスコロトロン帯電器６２より上流側に配置されている。
【００２８】
押当部材１５０は、先端が感光ドラム６１に接するようにホルダ１４０に支持されている。押当部材１５０は、感光ドラム６１に接する先端に、植毛布を有し、感光ドラム６１上のトナーは通過させながら、感光ドラム６１上の繊維状の紙粉を回収する。なお、クリーニングユニット１００周辺の構成は、後で詳しく説明する。
【００２９】
図１に示すように、プロセスカートリッジ５では、感光ドラム６１の表面は、スコロトロン帯電器６２により一様に正帯電された後、露光装置４からのレーザ光の高速走査によって露光される。これにより、感光ドラム６１の表面は、露光された部分の電位が下がる。すなわち、感光ドラム６１の表面に画像データに基づく静電潜像が形成される。また、トナー収容部７４内のトナーは、供給ローラ７２と現像ローラ７１の間で正に摩擦帯電され、供給ローラ７２を介して現像ローラ７１に供給される。現像ローラ７１上に供給されたトナーは、現像ローラ７１の回転に伴って、層厚規制ブレード７３と感光ドラム６１の表面との間に進入する。層厚規制ブレード７３と感光ドラム６１の表面との間に進入することにより、現像ローラ７１上に供給されたトナーは、し、さらに摩擦帯電される。また、現像ローラ７１上に供給されたトナーの一部は、層厚規制ブレード７３により掻き落とされ、一定の厚さの層を、現像ローラ７１上に形成する。
【００３０】
現像ローラ７１上のトナーは、現像ローラ７１と静電潜像との電位差を利用して、現像ローラ７１から感光ドラム６１上に移動する。これにより、静電潜像が可視像化され、感光ドラム６１上にトナー像が形成される。感光ドラム６１と転写ローラ６３の間を用紙Ｓが搬送される際に、転写ローラ６３には転写バイアスが印加されており、感光ドラム６１上のトナー像が用紙Ｓ上に転写される。なお、感光ドラム６１上の表面に付着した紙粉は、クリーニングユニット１００によって回収される。
【００３１】
定着装置８は、プロセスカートリッジ５の後方に配置され、符号を省略して示すハロゲンヒータ、定着ベルト、ニップ板などを有する加熱ユニット８１と、加熱ユニット８１のニップ板との間で定着ベルトを挟持する加圧ローラ８２とを主に備えている。この定着装置８は、用紙Ｓ上に転写されたトナー像を、用紙Ｓが加熱ユニット８１と加圧ローラ８２との間を通過する間に加熱定着する。加熱されたトナー像は、用紙Ｓに定着し、トナー像の定着した用紙Ｓは、排紙ローラ２３によって排紙トレイ２２上に排出される。
【００３２】
次に、クリーニングユニット１００周辺の構成について詳しく説明する。
図３に示すように、クリーニングユニット１００は、第１クリーニングローラ１１０と第２クリーニングローラ１２０を支持する軸受部材１６０と、ギヤ列１７０と、第１付勢部材１８０Ｌと、第２付勢部材１８０Ｒとをさらに備えている。
【００３３】
軸受部材１６０は、第１クリーニングローラ１１０及び第２クリーニングローラ１２０の左端部を支持する第１軸受部材１６０Ｌと、第１クリーニングローラ１１０及び第２クリーニングローラ１２０の右端部を支持する第２軸受部材１６０Ｒとを有している。つまり、第２軸受部材１６０Ｒは、左右方向において第１クリーニングローラ１１０及び第２クリーニングローラ１２０を基準に、第１軸受部材１６０Ｌとは反対側に設けられている。そして、第１軸受部材１６０Ｌと第２軸受部材１６０Ｒは、ホルダ１４０に保持されている。
【００３４】
第１付勢部材１８０Ｌと第２付勢部材１８０Ｒは、第１クリーニングローラ１１０を感光ドラム６１側へ向けて付勢するための部材である。具体的に、第１付勢部材１８０Ｌは、第１軸受部材１６０Ｌの後側に配置され、第１軸受部材１６０Ｌを前側、つまり、感光ドラム６１側へ向けて付勢している。第２付勢部材１８０Ｒは、第２軸受部材１６０Ｒの後側に配置され、第２軸受部材１６０Ｒを感光ドラム６１側へ向けて付勢している。
【００３５】
図４および図５に示すように、ドラムフレーム６４は、下フレーム２００と、下フレーム２００の上に取り付けられる上フレーム３００とを有している。なお、図５においては、下フレーム２００から上フレーム３００を取り外して、上フレーム３００のうち下フレーム２００と対向する側が図示される。すなわち、図５は、上フレーム３００を裏返した状態を示している。
【００３６】
図４に示すように、下フレーム２００は、感光ドラム６１の下側に配置される下壁２１０と、下壁２１０の左端から上方へ延びる左側壁２２０と、下壁２１０の右端から上方へ延びる右側壁２３０と、左側壁２２０と右側壁２３０の後端同士を繋ぐ後壁２４０とを有している。そして、下フレーム２００は、感光ドラム６１と後壁２４０の間に、クリーニングユニット１００のホルダ１４０を支持するクリーニングユニット支持部２０１を有している。
【００３７】
クリーニングユニット支持部２０１は、左側壁２２０の内側に、下壁２１０から上方へ延びる壁の一例としての第１下側規制壁２５０を有し、右側壁２３０の内側に、下壁２１０から上方へ延びる壁の一例としての第２下側規制壁２６０を有している。そして、この第１下側規制壁２５０と第２下側規制壁２６０の間に、クリーニングユニット１００のホルダ１４０が設けられている。つまり、第１下側規制壁２５０と第２下側規制壁２６０は、ホルダ１４０に対し左右方向外側に配置されている。言い換えると、第１下側規制壁２５０と第２下側規制壁２６０は、第１クリーニングローラ１１０の軸線方向において、ホルダ１４０よりも第１クリーニングローラ１１０の端部側に配置されている。
【００３８】
第１下側規制壁２５０と第２下側規制壁２６０は、それぞれ当接リブの一例としての下側当接リブ２７０を有している（第１下側規制壁２５０の下側当接リブ２７０のみ図示）。下側当接リブ２７０は、各下側規制壁２５０，２６０のホルダ１４０側、つまり、左右方向内側へ突出する上下方向に延びるリブであり、各下側規制壁２５０，２６０において、前後方向に間隔をあけて複数設けられている。言い換えると、下側当接リブ２７０は、第１下側規制壁２５０と第２下側規制壁２６０から第１クリーニングローラ１１０の軸線方向に突出し、下壁２１０から後述する上壁３１０に向かう方向において延びるリブであり、後壁２４０から感光ドラム６１に向かう方向において、間隔をあけて複数設けられている。
【００３９】
図５に示すように、上フレーム３００は、下フレーム２００の後端部の上部に取り付けられる蓋である。上フレーム３００は、下フレーム２００の上部を覆う上壁３１０を有している。また、上フレーム３００は、感光ドラム６１に重なる部分に、スコロトロン帯電器６２を備えている。そして、上フレーム３００は、下フレーム２００の第１下側規制壁２５０と重なる位置に、上壁３１０から下方へ延びる壁の一例としての第１上側規制壁３２０を有し、下フレーム２００の第２下側規制壁２６０と重なる位置に、上壁３１０から下方へ延びる壁の一例としての第２上側規制壁３３０を有している。第１上側規制壁３２０と第２上側規制壁３３０は、ホルダ１４０に対し左右方向外側に配置されている。言い換えると、第１上側規制壁３２０と第２上側規制壁３３０は、第１クリーニングローラ１１０の軸線方向において、ホルダ１４０よりも第１クリーニングローラ１１０の端部側に配置されている。
【００４０】
第１上側規制壁３２０と第２上側規制壁３３０は、それぞれ当接リブの一例としての上側当接リブ３４０を有している（第１上側規制壁３２０の上側当接リブ３４０のみ図示）。上側当接リブ３４０は、各上側規制壁３２０，３３０のホルダ１４０側、つまり、左右方向内側へ突出するリブであり、下側当接リブ２７０と連続して上下方向に延びるように設けられている。言い換えると、上側当接リブ３４０は、第１クリーニングローラ１１０の軸線方向に突出し、下壁２１０から上壁３１０に向かう方向において延びるリブであり、下側当接リブ２７０と当接して、下壁２１０から上壁３１０に向かって延びるように設けられている。
【００４１】
当接リブ２７０，３４０は、ホルダ１４０に当接することで、ホルダ１４０の左右方向へ移動を規制するように設けられている。具体的に、下側当接リブ２７０は、後述する下側筐体１４２の第１外壁１４５Ａ及び第３外壁１４７Ａと当接し、上側当接リブ３４０は、上側筐体１４３の第２外壁１４６Ａ及び第４外壁１４８Ａと当接する。
【００４２】
図６に示すように、第１クリーニングローラ１１０は、左右方向に沿って延びる第１クリーニングローラシャフト１１１と、第１クリーニングローラシャフト１１１が挿通され、第１クリーニングローラシャフト１１１と一体に回転する円筒状の第１ローラ本体１１２とを有している。第１ローラ本体１１２は、スポンジを加工したものである。第２クリーニングローラ１２０は、左右方向に沿って延びる第２クリーニングローラシャフト１２１と、第２クリーニングローラシャフト１２１と一体に回転する円筒状の第２ローラ本体１２２とを有している。第２クリーニングローラ１２０は、アルミニウムまたは鉄等の、円筒状の金属から第２クリーニングローラシャフト１２１に相当する部分を削ったローラである。なお、第２クリーニングローラ１２０は、第２ローラ本体１２２に第２クリーニングローラシャフト１２１を挿通する構成であってもよい。
【００４３】
第１軸受部材１６０Ｌは、第１クリーニングローラ１１０の左端部を支持する第１円筒部の一例としての第１軸受部１６１Ｌと、第２クリーニングローラ１２０の左端部を支持する第２円筒部の一例としての第２軸受部１６２Ｌとを有している。第２軸受部材１６０Ｒは、第１クリーニングローラ１１０の右端部を支持する第３軸受部１６１Ｒと、第２クリーニングローラ１２０の右端部を支持する第４軸受部１６２Ｒとを有している。
【００４４】
本実施形態において、第１軸受部材１６０Ｌと第２軸受部材１６０Ｒは、左右対称な形状を有している。つまり、第１軸受部１６１Ｌと第３軸受部１６１Ｒは左右対称であり、第２軸受部１６２Ｌと第４軸受部１６２Ｒは左右対称である。そのため、以下の説明においては、主に第１軸受部材１６０Ｌの構成のみについて説明する。なお、以下で参照する図においては、第１軸受部材１６０Ｌの各部位を指す符号に対応する第２軸受部材１６０Ｒの各部位の符号をかっこ内に記載する。
【００４５】
図７（ａ），（ｂ）に示すように、第１軸受部材１６０Ｌは、第１軸受部１６１Ｌと第２軸受部１６２Ｌを連結する第１中央連結部１６５Ｌと、係合部の一例としての第１係合部１６６Ｌ及び第２係合部１６７Ｌとをさらに有している。なお、第２軸受部材１６０Ｒは、第３軸受部１６１Ｒと第４軸受部１６２Ｒとを連結する第２中央連結部１６５Ｒと、第３係合部１６６Ｒと、第４係合部１６７Ｒとを有している。
【００４６】
第１軸受部１６１Ｌは、第１クリーニングローラシャフト１１１の左右方向の一端部である左端部が挿入される第１孔１６３Ｌを有する。第１孔１６３Ｌは、円筒形状に形成されている。また、第２軸受部１６２Ｌは、第２クリーニングローラシャフト１２１の左右方向の一端部である左端部が挿入される第２孔１６４Ｌを有する。第２孔１６４Ｌは、円筒形状に形成されている。そして、第３軸受部１６１Ｒは、第１クリーニングローラシャフト１１１の右端部が挿入される第３孔１６３Ｒを有し、第４軸受部１６２Ｒは、第２クリーニングローラシャフト１２１の右端部が挿入される第４孔１６４Ｒを有している。言い換えると、第１軸受部１６１Ｌは、第１クリーニングローラシャフト１１１の軸線方向の一端部が挿入される第１孔１６３Ｌを有し、第３軸受部１６１Ｒは、第１クリーニングローラシャフト１１１の軸線方向の他端部が挿入される第３孔１６３Ｒを有する。また、第２軸受部１６２Ｌは、第２クリーニングローラシャフト１２１の軸線方向の一端部が挿入される第２孔１６４Ｌを有し、第４軸受部１６２Ｒは、第２クリーニングローラシャフト１２１の軸線方向の他端部が挿入される第４孔１６４Ｒを有する。
【００４７】
第１軸受部１６１Ｌは、第１孔１６３Ｌを形成する内周面１６１Ａから突出する第２移動規制部１６８Ｌを有している。
【００４８】
第２移動規制部１６８Ｌは、第１軸受部１６１Ｌの左右方向外側の端部に設けられている。そして、第２移動規制部１６８Ｌは、第１軸受部１６１Ｌの内周面１６１Ａに形成されたリブであり、左右方向に沿って見て、第２軸受部１６２Ｌ側に向けて開口したＣ字形状を有している。このように、第２移動規制部１６８Ｌは、Ｃ字形状であることにより、円形状である場合よりも、軸受部材１６０の材料費を低減することができる。また、第３軸受部１６１Ｒは、第３孔１６３Ｒを形成する内周面１６１Ｂに第２移動規制部１６８Ｒを有している。第２移動規制部１６８Ｒは、第２移動規制部１６８Ｌと同様に、第２軸受部１６２Ｌの内周面１６１Ｂに形成されたリブであり、左右方向に沿って見て、第２軸受部１６２Ｌ側に向けて開口したＣ字形状を有している。言い換えると、第２移動規制部１６８Ｌは、第１軸受部１６１Ｌの第１孔１６３Ｌの中心Ｃ１と第２軸受部１６２Ｌの第２孔１６４Ｌの中心Ｃ２を通る第１直線Ｌ１に沿って見て、第２軸受部１６２Ｌ側に向けて開口したＣ字形状を有している。また、第２移動規制部１６８Ｒは、第１軸受部１６１Ｌの第３孔１６３Ｒの中心Ｃ３と第２軸受部１６２Ｌの第４孔１６４Ｒの中心Ｃ４を通る第２直線Ｌ２に沿って見て、第４軸受部１６２Ｒ側に向けて開口したＣ字形状を有している。
【００４９】
第２移動規制部１６８Ｌ，１６８Ｒは、第１クリーニングローラ１１０の左右方向への移動を規制するために設けられている。
【００５０】
具体的に、図８に示すように、第１クリーニングローラシャフト１１１は、左右方向の両端部に、左右方向外側が内側よりも小径となる段差部１１３を有している。言い換えると、第１クリーニングローラシャフト１１１は、第１クリーニングローラシャフト１１１の軸線方向の一端及び第１クリーニングローラシャフト１１１の軸線方向の他端に、段差部１１３を有している。そして、第２移動規制部１６８Ｌは、左側の段差部１１３の左右方向外側、つまり、左側に配置されている。言い換えると、第２移動規制部１６８Ｌは、第１クリーニングローラシャフト１１１の軸線方向の一端よりも、第１クリーニングローラシャフト１１１の軸線方向の端部側に配置されている。また、第２移動規制部１６８Ｒは、右側の段差部１１３の左右方向外側、つまり、右側に配置されている。言い換えると、第２移動規制部１６８Ｒは、第１クリーニングローラシャフト１１１の軸線方向の他端よりも、第１クリーニングローラシャフト１１１の軸線方向の端部側に配置されている。これにより、段差部１１３が第２移動規制部１６８Ｌ，１６８Ｒに係合することで、第１クリーニングローラシャフト１１１の左右方向への移動が規制されるようになっている。
【００５１】
図７（ｂ）に示すように、第１中央連結部１６５Ｌは、第１軸受部１６１Ｌの第１孔１６３Ｌの中心Ｃ１と第２軸受部１６２Ｌの第２孔１６４Ｌの中心Ｃ２を通る第１直線Ｌ１上において、第１軸受部１６１Ｌと第２軸受部１６２Ｌとを連結している。
【００５２】
第１係合部１６６Ｌは、第１中央連結部１６５Ｌから下方へ突出する板状のリブであり、左右方向の長さが、第１中央連結部１６５Ｌの左右方向の長さよりも短くなっている。第１係合部１６６Ｌは、第１クリーニングローラシャフト１１１の左端部と、第２クリーニングローラシャフト１２１の左端部との間に位置し、第１軸受部１６１Ｌと第２軸受部１６２Ｌとの間に延びて、さらに、第１軸受部１６１Ｌと第２軸受部１６２Ｌとの間で、第１軸受部１６１Ｌと第２軸受部１６２Ｌよりも外側に向けて突出している。
【００５３】
より具体的に、第１係合部１６６Ｌは、第１中央連結部１６５Ｌから第１直線Ｌ１上の点を基点として第１直線Ｌ１と直交する第１直交方向、すなわち、上下方向に第１孔１６３Ｌの半径及び第２孔１６４Ｌの半径よりも長く延びている。
【００５４】
第１係合部１６６Ｌは、第１軸受部１６１Ｌの外周面１６１Ｃと第２軸受部１６２Ｌの外周面１６２Ｃの両方に接する第１平面Ｐ１と、第１平面Ｐ１よりも外側に配置される第１突出部１６６Ａを有している。第１突出部１６６Ａは、少なくとも、第１平面Ｐ１と第１軸受部１６１Ｌの接点から第１平面Ｐ１と第２軸受部１６２Ｌの接点まで延びている。本実施形態では、第１突出部１６６Ａは、第１平面Ｐ１と第１軸受部１６１Ｌの接点よりも前側から第１平面Ｐ１と第２軸受部１６２Ｌの接点よりも後側まで延びている。言い換えると、第１突出部１６６Ａは、第１平面Ｐ１と第１軸受部１６１Ｌの接点よりも第２軸受部１６２Ｌから離れた位置から、第１平面Ｐ１と第２軸受部１６２Ｌの接点よりも、第１軸受部１６１Ｌから離れた位置まで延びている。また、第１突出部１６６Ａは、上下方向に沿って見て、第１孔１６３Ｌ及び第２孔１６４Ｌに重なっている。
【００５５】
第２係合部１６７Ｌは、第１中央連結部１６５Ｌから上方へ突出する板状のリブであり、左右方向の長さが、第１中央連結部１６５Ｌの左右方向の長さよりも短くなっている。第２係合部１６７Ｌは、第１係合部１６６Ｌに対して第１クリーニングローラ１１０の回転中心と第２クリーニングローラ１２０の回転中心を結ぶ平面を挟んで反対側に設けられている。つまり、第２係合部１６７Ｌは、第１係合部１６６Ｌと第１直線Ｌ１を隔てて反対側に配置されている。そして、第２係合部１６７Ｌは、第１クリーニングローラシャフト１１１の左端部と、第２クリーニングローラシャフト１２１の左端部との間に位置し、第１軸受部１６１Ｌと第２軸受部１６２Ｌとの間に延びて、さらに、第１軸受部１６１Ｌと第２軸受部１６２Ｌとの間で、第１軸受部１６１Ｌと第２軸受部１６２Ｌよりも外側に向けて突出している。
【００５６】
より具体的に、第２係合部１６７Ｌは、第１中央連結部１６５Ｌから第１直線Ｌ１上の点を基点として上下方向に第１孔１６３Ｌの半径及び第２孔１６４Ｌの半径よりも長い位置まで延びている。
【００５７】
第２係合部１６７Ｌは、第１軸受部１６１Ｌの外周面１６１Ｃと第２軸受部１６２Ｌの外周面１６２Ｃの両方に接する第２平面Ｐ２と、第２平面Ｐ２よりも外側に配置される第２突出部１６７Ａを有している。なお、第２平面Ｐ２は、第１平面Ｐ１とは第１直線Ｌ１を隔てて反対側に配置されている。第２突出部１６７Ａは、少なくとも、第２平面Ｐ２と第１軸受部１６１Ｌの接点から第２平面Ｐ２と第２軸受部１６２Ｌの接点まで延びている。本実施形態では、第２突出部１６７Ａは、第２平面Ｐ２と第１軸受部１６１Ｌの接点よりも前側から第２平面Ｐ２と第２軸受部１６２Ｌの接点よりも後側まで延びている。言い換えると、第２突出部１６７Ａは、第２平面Ｐ２と第１軸受部１６１Ｌの接点よりも第２軸受部１６２Ｌから離れた位置から、第２平面Ｐ２と第２軸受部１６２Ｌの接点よりも第１軸受部１６１Ｌから離れた位置まで延びている。また、第２突出部１６７Ａは、上下方向に沿って見て、第１孔１６３Ｌ及び第２孔１６４Ｌに重なっている。
【００５８】
そして、第２軸受部材１６０Ｒの第２中央連結部１６５Ｒは、第３軸受部１６１Ｒの第３孔１６３Ｒの中心Ｃ３と第４軸受部１６２Ｒの第４孔１６４Ｒの中心Ｃ４を通る第２直線Ｌ２上において、第３軸受部１６１Ｒと第４軸受部１６２Ｒとを連結している。
【００５９】
第３係合部１６６Ｒは、第２中央連結部１６５Ｒから第２直線Ｌ２上の点を基点として第２直線Ｌ２と直交する第２直交方向、すなわち、上下方向に第３孔１６３Ｒの半径及び第４孔１６４Ｒの半径よりも長く延びている。
【００６０】
第３係合部１６６Ｒは、第３軸受部１６１Ｒの外周面１６１Ｄと第４軸受部１６２Ｒの外周面１６２Ｄの両方に接する第３平面Ｐ３よりも外側に配置される第３突出部１６６Ｂを有している。第３突出部１６６Ｂは、少なくとも、第３平面Ｐ３と第３軸受部１６１Ｒの接点から第３平面Ｐ３と第４軸受部１６２Ｒの接点まで延びている。本実施形態において、第３突出部１６６Ｂは、第３平面Ｐ３と第３軸受部１６１Ｒの接点よりも前側から第４平面Ｐ４と第４軸受部１６２Ｒの接点よりも後側まで延びている。言い換えると、第３突出部１６６Ｂは、第３平面Ｐ３と第３軸受部１６１Ｒの接点よりも第４軸受部１６２Ｒから離れた位置から、第４平面Ｐ４と第４軸受部１６２Ｒの接点よりも第３軸受部１６１Ｒから離れた位置まで延びている。
【００６１】
第４係合部１６７Ｒは、第３係合部１６６Ｒと第２直線Ｌ２を隔てて反対側に配置され、第２中央連結部１６５Ｒから第２直線Ｌ２上の点を基点として上下方向に第３孔１６３Ｒの半径及び第４孔１６４Ｒの半径よりも長く延びている。
【００６２】
第４係合部１６７Ｒは、第３軸受部１６１Ｒの外周面１６１Ｄと第４軸受部１６２Ｒの外周面１６２Ｄの両方に接する第４平面Ｐ４よりも外側に配置される第４突出部１６７Ｂを有している。なお、第４平面Ｐ４は、第３平面Ｐ３とは第２直線Ｌ２を隔てて反対側に配置されている。第４突出部１６７Ｂは、少なくとも、第４平面Ｐ４と第３軸受部１６１Ｒの接点から第４平面Ｐ４と第４軸受部１６２Ｒの接点まで延びている。本実施形態において、第４突出部１６７Ｂは、第４平面Ｐ４と第３軸受部１６１Ｒの接点よりも前側から第４平面Ｐ４と第４軸受部１６２Ｒの接点よりも後側まで延びている。言い換えると、第４突出部１６７Ｂは、第４平面Ｐ４と第３軸受部１６１Ｒの接点よりも第４軸受部１６２Ｒから離れた位置から、第４平面Ｐ４と第４軸受部１６２Ｒの接点よりも第３軸受部１６１Ｒから離れた位置まで延びている。
【００６３】
図９に示すように、ホルダ１４０は、貯留部１４１を有する下側筐体１４２と、下側筐体１４２の上方を覆い、下側筐体１４２と係合する上側筐体１４３とを有している。
【００６４】
下側筐体１４２は、第１軸受部材１６０Ｌの第１係合部１６６Ｌを収容する第１溝１４５と、第２軸受部材１６０Ｒの第３係合部１６６Ｒを収容する第３溝１４７と、第１係止部１４２Ａと、第２係止部１４２Ｂとを有している。
【００６５】
具体的に、下側筐体１４２は、第２クリーニングローラ１２０よりも上下方向で低い位置にある底面１４４と、底面１４４と交差する第１外壁１４５Ａ、第１内壁１４５Ｂ、第３外壁１４７Ａ及び第３内壁１４７Ｂとを有している。
【００６６】
第１外壁１４５Ａは、移動規制部の一例であり、第２クリーニングローラ１２０の左右方向における一端側である底面１４４の左端部に設けられている。第１内壁１４５Ｂは、移動規制部の一例であり、左右方向において第１外壁１４５Ａよりも第１クリーニングローラ１１０の第１ローラ本体１１２と第２クリーニングローラ１２０の第２ローラ本体１２２に近い位置、つまり、右側の位置に設けられている。そして、第１外壁１４５Ａと第１内壁１４５Ｂとで、第１溝１４５を形成している。
【００６７】
第３外壁１４７Ａは、左右方向において第１クリーニングローラ１１０及び第２クリーニングローラ１２０を基準に第１外壁１４５Ａとは反対側に設けられている。具体的に、第３外壁１４７Ａは、底面１４４の右端部に設けられている。第３内壁１４７Ｂは、左右方向における第３外壁１４７Ａよりも第１クリーニングローラ１１０の第１ローラ本体１１２と第２クリーニングローラ１２０の第２ローラ本体１２２に近い位置、つまり、左側の位置に設けられている。そして、第３外壁１４７Ａと第３内壁１４７Ｂとで、第３溝１４７を形成している。
【００６８】
第１係止部１４２Ａは、第１外壁１４５Ａから上側筐体１４３側へ延びるフックであり、第２係止部１４２Ｂは、第３外壁１４７Ａから上側筐体１４３側へ延びるフックである。
【００６９】
上側筐体１４３は、第１軸受部材１６０Ｌの第２係合部１６７Ｌを収容する第２溝１４６と、第２軸受部材１６０Ｒの第４係合部１６７Ｒを収容する第４溝１４８と、第１被係止部１４３Ａと、第２被係止部１４３Ｂとを有している。
【００７０】
具体的に、上側筐体１４３は、第２クリーニングローラ１２０よりも上下方向で高い位置にある上面１４９と、上面１４９と交差する第２外壁１４６Ａ、第２内壁１４６Ｂ、第４外壁１４８Ａ及び第４内壁１４８Ｂとを有している。
【００７１】
第２外壁１４６Ａは、移動規制部の一例であり、上面１４９の左端部に設けられている。第２内壁１４６Ｂは、移動規制部の一例であり、左右方向において第２外壁１４６Ａよりも第１クリーニングローラ１１０の第１ローラ本体１１２と第２クリーニングローラ１２０の第２ローラ本体１２２に近い位置、つまり、右側の位置に設けられている。そして、第２外壁１４６Ａと第２内壁１４６Ｂとで、第２溝１４６を形成している。
【００７２】
第４外壁１４８Ａは、左右方向において第１クリーニングローラ１１０及び第２クリーニングローラ１２０を基準に第２外壁１４６Ａとは反対側に設けられている。具体的に、第４外壁１４８Ａは、上面１４９の右端部に設けられている。第４内壁１４８Ｂは、左右方向における第４外壁１４８Ａよりも第１クリーニングローラ１１０の第１ローラ本体１１２と第２クリーニングローラ１２０の第２ローラ本体１２２に近い位置、つまり、左側の位置に設けられている。そして、第４外壁１４８Ａと第４内壁１４８Ｂとで、第４溝１４８を形成している。
【００７３】
第１被係止部１４３Ａは、第２外壁１４６Ａと第２内壁１４６Ｂを繋ぐように形成され、第１係止部１４２Ａを係止する。第２被係止部１４３Ｂは、第４外壁１４８Ａと第４内壁１４８Ｂを繋ぐように形成され、第２係止部１４２Ｂを係止する。
【００７４】
図１０に示すように、第１軸受部材１６０Ｌの第１突出部１６６Ａは、左右方向において、第１外壁１４５Ａと第１内壁１４５Ｂの間に配置されている。また、第２突出部１６７Ａは、左右方向において、第２外壁１４６Ａと第２内壁１４６Ｂの間に配置されている。そして、本実施形態では、第１外壁１４５Ａと第１内壁１４５Ｂの幅Ｗ１は、第２外壁１４６Ａと第２内壁１４６Ｂの幅Ｗ２と等しい。つまり、第１溝１４５の幅と第２溝１４６の幅は等しい。そして、第１外壁１４５Ａ及び第１内壁１４５Ｂは、第１突出部１６６Ａと係合することで、第１軸受部材１６０Ｌの左右方向への移動を規制するようになっている。また、第２外壁１４６Ａ及び第２内壁１４６Ｂは、第２突出部１６７Ａと係合することで、第１軸受部材１６０Ｌの左右方向への移動を規制するようになっている。
【００７５】
また、図示は省略するが、第２軸受部材１６０Ｒの第３突出部１６６Ｂは、左右方向において、第３外壁１４７Ａと第３内壁１４７Ｂの間に配置されている。そして、第４突出部１６７Ｂは、左右方向において、第４外壁１４８Ａと第４内壁１４８Ｂの間に配置されている。
【００７６】
図１１（ａ）に示すように、ギヤ列１７０は、第１クリーニングローラギヤ１７１と、クリーニングローラギヤの一例としての第２クリーニングローラギヤ１７２とを有している。そして、ギヤ列１７０の左側には、感光ドラム６１から入力される駆動力を第２クリーニングローラギヤ１７２に伝達するための伝達機構４００が設けられている。つまり、ホルダ１４０の第１外壁１４５Ａ、第１内壁１４５Ｂ、第２外壁１４６Ａ及び第２内壁１４６Ｂは、左右方向において伝達機構４００側に設けられている。
【００７７】
ドラムユニット６は、感光ドラム６１の左端部に、感光ドラム６１と一体に回転する感光ドラムギヤ６１Ｇを備えている。言い換えると、ドラムユニット６は、感光ドラム６１の軸線方向の一端において、感光ドラムギヤ６１Ｇを備えている。
【００７８】
第１クリーニングローラギヤ１７１は、第１クリーニングローラ１１０の左端部に設けられ、第１クリーニングローラ１１０と一体に回転可能となっている。また、第１クリーニングローラギヤ１７１は、第２クリーニングローラギヤ１７２に噛合している。
【００７９】
第２クリーニングローラギヤ１７２は、第２クリーニングローラ１２０の左端部に設けられている。つまり、第２軸受部１６２Ｌは、第２クリーニングローラ１２０の第２クリーニングローラシャフト１２１の第２クリーニングローラギヤ１７２側の端部を支持している。
【００８０】
図１１（ａ），（ｂ）に示すように、第２クリーニングローラギヤ１７２は、第２クリーニングローラシャフト１２１と嵌合する穴１７２Ａが形成された円筒部１７２Ｂと、円筒部１７２Ｂの左右方向外側に設けられるギヤ部１７２Ｃと、ギヤ部１７２Ｃの左右方向外側に設けられる円板部１７２Ｄと、円板部１７２Ｄから左右方向外側に突出する凸部１７２Ｅとを有している。ここで、第２クリーニングローラギヤ１７２は、穴１７２Ａと第２クリーニングローラシャフト１２１とを嵌合することにより、第２クリーニングローラシャフト１２１に固定され、第２クリーニングローラ１２０と一体に回転可能となっている。また、凸部１７２Ｅは、左右方向において第２クリーニングローラギヤ１７２の穴１７２Ａが設けられる面と反対側の面に形成され、第２クリーニングローラ１２０の回転軸線に対して直交する方向に長く延びている。
【００８１】
図１１（ａ）に示すように、伝達機構４００は、感光ドラムギヤ６１Ｇに噛合する中間ギヤ４１０と、中間ギヤ４１０に噛合する伝達ギヤ４２０とを有している。伝達ギヤ４２０は、中間ギヤ４１０に噛合するギヤ部材４２１と、係合部材４２２とを有して構成されている。
【００８２】
図１２に示すように、中間ギヤ４１０とギヤ部材４２１は、下フレーム２００に保持されるカバー４３０に回転可能に支持されている。
【００８３】
ギヤ部材４２１は、外周にギヤが形成されたギヤ部４２１Ａと、ギヤ部４２１Ａの内側で左右方向内側へ突出する係合突起４２１Ｂとを有している。係合突起４２１Ｂは、ギヤ部材４２１の回転軸線に直交する方向へ延びている。
【００８４】
係合部材４２２は、左右方向に直交する壁部４２２Ａと、壁部４２２Ａから右側へ突出する第１突起４２２Ｂ及び第１突起４２２Ｆと、壁部４２２Ａから左側へ突出する第２突起４２２Ｃ及び第２突起４２２Ｈとを有している。
【００８５】
第１突起４２２Ｂ及び第１突起４２２Ｆは、凸部１７２Ｅを短手方向で挟むように設けられている（図１１（ａ）参照）。つまり、第１突起４２２Ｂ及び第１突起４２２Ｆは、凸部１７２Ｅと係合する凹部４２２Ｅを形成している。また、一対の第２突起４２２Ｃは、係合突起４２１Ｂを係合突起４２１Ｂの短手方向で挟むように設けられている。これにより、伝達ギヤ４２０のギヤ部材４２１が回転すると、係合突起４２１Ｂが第２突起４２２Ｃ及び第２突起４２２Ｈに係合することで、係合部材４２２がギヤ部材４２１と一体に回転するようになっている。そして、係合部材４２２が回転すると、第１突起４２２Ｂ及び第１突起４２２Ｆが凸部１７２Ｅに係合することで、第２クリーニングローラギヤ１７２が回転するようになっている。つまり、伝達機構４００は、第２クリーニングローラギヤ１７２に左右方向外側から係合して第２クリーニングローラギヤ１７２に駆動力を伝達するように構成されている。
【００８６】
以上のように構成されたドラムユニット６の作用及び効果について説明する。
ドラムユニット６が落下して衝撃を受けると、第１クリーニングローラ１１０が左右方向へ移動する。このとき、図８に示すように、第１クリーニングローラシャフト１１１の段差部１１３が、第２移動規制部１６８Ｌ，１６８Ｒに係合するので、第１クリーニングローラ１１０が第１軸受部材１６０Ｌと第２軸受部材１６０Ｒに対して左右方向へ移動するのを抑制することができる。
【００８７】
そして、第１軸受部材１６０Ｌが左右方向へ移動すると、図１０に示すように、第１突出部１６６Ａが、ホルダ１４０の第１外壁１４５Ａまたは第１内壁１４５Ｂに係合するとともに、第２突出部１６７Ａが、ホルダ１４０の第２外壁１４６Ａまたは第２内壁１４６Ｂに係合するので、第１軸受部材１６０Ｌが左右方向に移動するのを抑制することができる。そのため、第１軸受部材１６０Ｌ（第１クリーニングローラ１１０及び第２クリーニングローラ１２０）の移動に伴う力が、ホルダ１４０の外の部材に伝達されるのを抑えることができる。これにより、第１軸受部材１６０Ｌ周りの部品が外れるのを抑制することができる。
【００８８】
また、第１外壁１４５Ａと第１内壁１４５Ｂの幅Ｗ１は、第２外壁１４６Ａと第２内壁１４６Ｂの幅Ｗ２と等しいことにより、第１突出部１６６Ａと第２突出部１６７Ａが両方ともホルダ１４０の壁に係合するので、第１突出部１６６Ａと第２突出部１６７Ａの一方のみに大きな力がかかってしまうのを抑えることができる。
【００８９】
そして、第１突出部１６６Ａは、第１平面Ｐ１よりも外側で第１軸受部１６１Ｌの外周面１６１Ｃ及び第２軸受部１６２Ｌの外周面１６２Ｃに繋がるように大きく形成されているので、第１突出部１６６Ａに大きな力がかかっても破損しにくい。また、第２突出部１６７Ａも、第２平面Ｐ２よりも外側で第１軸受部１６１Ｌの外周面１６１Ｃ及び第２軸受部１６２Ｌの外周面１６２Ｃに繋がるように大きく形成されているので、第２突出部１６７Ａに大きな力がかかっても破損しにくい。
【００９０】
そして、第２軸受部材１６０Ｒが左右方向へ移動すると、第３突出部１６６Ｂが、ホルダ１４０の第３外壁１４７Ａまたは第３内壁１４７Ｂに係合するとともに、第４突出部１６７Ｂが、ホルダ１４０の第４外壁１４８Ａまたは第４内壁１４８Ｂに係合するので、第２軸受部材１６０Ｒがホルダ１４０に対して左右方向へ大きく移動するのを抑制することができる。
【００９１】
ホルダ１４０は、左右方向へ移動しようとすると、ドラムフレーム６４の当接リブ２７０，３４０に当接する。これにより、ホルダ１４０がドラムフレーム６４に対して左右方向へ大きく移動するのを抑制することができる。
【００９２】
また、ホルダ１４０が、規制壁２５０，２６０，３２０，３３０に設けられた当接リブ２７０，３４０に当接するので、ホルダ１４０が規制壁２５０，２６０，３２０，３３０の全体に当たる場合に比べて、規制壁２５０，２６０，３２０，３３０が変形するのを抑えることができる。
【００９３】
以上のように、ドラムユニット６では、第１クリーニングローラ１１０、軸受部材１６０、ホルダ１４０が左右方向へ移動するのが抑制されるので、軸受部材１６０周りの部材がドラムフレーム６４から外れるのを抑えることができる。
【００９４】
特に、本実施形態では、第２クリーニングローラ１２０の左右方向外側に、第２クリーニングローラギヤ１７２に係合する伝達ギヤ４２０が設けられており、第２クリーニングローラ１２０が左方へ大きく移動すると伝達ギヤ４２０が押され、伝達ギヤ４２０を支持するカバー４３０がドラムフレーム６４から外れるおそれがある。ところが、第２クリーニングローラ１２０が左右方向へ大きく移動しないので、カバー４３０がドラムフレーム６４から外れてしまうのを抑制することができる。
【００９５】
以上、本発明の実施形態について説明したが、本発明は前記実施形態に限定されるものではない。具体的な構成については、本発明の趣旨を逸脱しない範囲で適宜変更が可能である。
【００９６】
前記実施形態では、ドラムフレーム６４の当接リブ２７０，３４０が、下側筐体１４２と上側筐体１４３の両方に当接するように設けられていたが、当接リブの構成はこれに限定されるものではない。例えば、当接リブは、下側筐体１４２及び上側筐体１４３の一方にのみ当接するように設けられていてもよい。
【００９７】
前記実施形態では、第２クリーニングローラギヤ１７２が凸部１７２Ｅを有し、伝達ギヤ４２０が凸部１７２Ｅに係合する凹部４２２Ｅを有していたが、凸部と凹部の構成はこれに限定されるものではない。例えば、図１３に示すように、第２クリーニングローラギヤ１７２に凹部１７２Ｇを設け、伝達ギヤ４２０が、凹部１７２Ｇに係合する凸部４２２Ｄを有していてもよい。具体的に、第２クリーニングローラギヤ１７２は、ギヤ部１７２Ｃの左右方向外側に、鍔部１７２Ｆを有している。そして、鍔部１７２Ｆの穴１７２Ａ（円筒部１７２Ｂ）が設けられている面とは反対側の面に、第２クリーニングローラギヤ１７２の回転軸線に直交する方向に延びる凹部１７２Ｇが形成されている。伝達ギヤ４２０の係合部材４２２は、壁部４２２Ａから第２クリーニングローラギヤ１７２側へ突出する凸部４２２Ｄを有している。
【００９８】
前記実施形態では、モノクロのレーザプリンタ１に使用されるドラムユニット６に本発明を適用したが、カラーのレーザプリンタや複合機に使用されるドラムユニットに本発明を適用してもよい。
【符号の説明】
【００９９】
１      レーザプリンタ
６      ドラムユニット
６１    感光ドラム
１１０  第１クリーニングローラ
１１１  第１クリーニングローラシャフト
１１３  段差部
１２０  第２クリーニングローラ
１２１  第２クリーニングローラシャフト
１４０  ホルダ
１４５Ａ  第１外壁
１４５Ｂ  第１内壁
１４６Ａ  第２外壁
１４６Ｂ  第２内壁
１６０Ｌ  第１軸受部材
１６１Ｌ  第１軸受部
１６２Ｌ  第２軸受部
１６６Ｌ  第１係合部
１６７Ｌ  第２係合部
１６８Ｌ  第２移動規制部
２５０  第１下側規制壁
２７０  下側当接リブ
３２０  第１上側規制壁
３４０  上側当接リブ
【図１】
0006679868.tif 000002
【図２】
0006679868.tif 000003
【図３】
0006679868.tif 000004
【図４】
0006679868.tif 000005
【図５】
0006679868.tif 000006
【図６】
0006679868.tif 000007
【図７】
0006679868.tif 000008
【図８】
0006679868.tif 000009
【図９】
0006679868.tif 000010
【図１０】
0006679868.tif 000011
【図１１】
0006679868.tif 000012
【図１２】
0006679868.tif 000013
【図１３】
0006679868.tif 000014